(57)【要約】【課題】ＳＩＰシグナリングに連動して動的ＱｏＳを確保・開放する。【解決手段】事業者のＣＭＴＳ２０１と加入者宅内１０１，１０２のＣＭ１１１間でＨＦＣ２０３を経由してＷＡＮ２０２上の通話先と通話を行うケーブルＶｏＩＰシステム１００に、加入者宅内で音声をアナログ／ディジタル変換し、音声データを送受信し、呼の開始、終了に合せて通話先とＳＩＰシグナリングを行うＭＴＡ処理部１２３と、通話が行われる加入者宅のＣＭでＭＴＡ処理部のＳＩＰシグナリングを監視し、ＳＩＰシグナリングのメッセージに含まれるＳＤＰを解析し、上り回線の帯域の周期、帯域の大きさを決定し、ＣＭＴＳとメッセージを交換してＱｏＳの追加、削除をＣＭＴＳに要求するＱｏＳメッセージ交換部１３２と、ＣＭＴＳでＱｏＳメッセージ交換部からＱｏＳの追加、削除の要求に対して、ＭＴＡ処理部で送受信される音声データにＱｏＳの追加、削除を行うＱｏＳ追加・削除部２１１とを備える。【選択図】  図１
2004343457.tif 000002
【特許請求の範囲】
【請求項１】
事業者のＣＭＴＳと加入者宅内のＣＭ間でＨＦＣを経由してＷＡＮ上の通話先と通話を行うケーブルＶｏＩＰシステムにおいて、
前記加入者宅内で通話の音声をアナログ／ディジタル変換し、音声データを送受信し、呼の開始、終了に合せて通話先と相互にＳＩＰシグナリングを行うＭＴＡ処理部と、
通話が行われる前記加入者宅の前記ＣＭで前記ＭＴＡ処理部のＳＩＰシグナリングを監視し、前記ＳＩＰシグナリングのメッセージに含まれるＳＤＰを解析し、上り回線の帯域の周期、帯域の大きさを決定し、前記ＣＭＴＳとメッセージを交換してＱｏＳの追加、削除を前記ＣＭＴＳに要求するＱｏＳメッセージ交換部と、
前記ＣＭＴＳで前記ＱｏＳメッセージ交換部からＱｏＳの追加、削除の要求に対して、前記ＭＴＡ処理部で送受信される音声データにＱｏＳの追加、削除を行うＱｏＳ追加・削除部とを備えることを特徴とするケーブルＶｏＩＰシステム。
【請求項２】
前記ＭＴＡ処理部は前記ＣＭと一体型に形成されることを特徴とする、請求項１に記載のケーブルＶｏＩＰシステム。
【請求項３】
前記ＭＴＡ処理部は前記ＣＭに独立して外部機器に設けられることを特徴とする、請求項１に記載のケーブルＶｏＩＰシステム。
【請求項４】
前記外部機器が複数ある場合には、ハブを介して前記ＣＭに接続されることを特徴とする、請求項３に記載のケーブルＶｏＩＰシステム。
【請求項５】
前記ＣＭＴＳと前記加入者宅内の間で、前記ＣＭと一体型のＭＴＡと、前記ＣＭと独立型のＭＴＡとが混在することを特徴とする、請求項１に記載のケーブルＶｏＩＰシステム。
【請求項６】
事業者のＣＭＴＳと加入者宅内のＣＭ間でＨＦＣを経由してＷＡＮ上の通話先と通話を行うケーブルＶｏＩＰシステムの動的ＱｏＳ連動方法において、
前記加入者宅内で呼の開始、終了に合せて通話先と相互にＳＩＰシグナリングを行う工程と、
通話が行われる前記加入者宅の前記ＣＭで前記ＳＩＰシグナリングを監視する工程と、
前記ＳＩＰシグナリングのメッセージに含まれるＳＤＰを解析し、上り回線の帯域の周期、帯域の大きさを決定する工程と、
前記ＳＩＰシグナリングに連動して前記ＣＭＴＳとメッセージを交換してＱｏＳの追加、削除を前記ＣＭＴＳに要求する工程と、
前記ＣＭＴＳで前記ＱｏＳの追加、削除の要求に対して、送受信される音声データにＱｏＳの追加、削除を行う工程とを備えることを特徴とするケーブルＶｏＩＰシステムの動的ＱｏＳ連動方法。
【発明の詳細な説明】
【０００１】
【発明が属する技術分野】
本発明はＩＰ（Ｉｎｔｅｒｎｅｔ  Ｐｒｏｔｏｃｏｌ）ネットワークを用いて音声データの送受信を行うケーブルＶｏＩＰ（Ｖｏｉｃｅ  ｏｖｅｒ  Ｉｎｔｅｒｎｅｔ  Ｐｒｏｔｏｃｏｌ）システムに関する。特に、本発明は、ケーブルＶｏＩＰシステムにおいてＳＩＰ（Ｓｅｓｓｉｏｎ  Ｉｎｉｔｉａｔｉｏｎ  Ｐｒｏｔｏｃｏｌ）シグナリングに連動して動的ＱｏＳ（Ｑｕａｌｉｔｙ  Ｏｆ  Ｓｅｒｖｉｃｅ）を確保・開放する方法に関する。
【０００２】
【従来の技術】
従来のＶｏＩＰゲートウエイ装置では、音声通信における音声途切れなどのエラー発生を防止している（例えば、特許文献１参照。）。
さらに、ＶｏＩＰケーブルモデム装置では、どこにいても最寄りのケーブルモデムを使って同一の音声通信品質で通話可能なようにしている（例えば、特許文献２参照。）。
本発明の前提となる従来のケーブルＶｏＩＰシステムでは包括的な仕様として、ＰａｃｋｅｔＣａｂｌｅが規定されている。
【０００３】
この仕様では、一体型のＥ−ＭＴＡ（Ｅｍｂｅｄｄｅｄ  Ｍｕｌｔｉｍｅｄｉａ  Ｔｅｒｍｉｎａｌ  Ａｄａｐｔｏｒ）及び独立型のＳ−ＭＴＡ（Ｓｔａｎｄａｌｏｎｅ  Ｍｕｌｔｉｍｅｄｉａ  Ｔｅｒｍｉｎａｌ  Ａｄａｐｔｏｒ）、それぞれのタイプについて、音声シグナリングプロトコルとＩＴＵ−Ｔ（Ｉｎｔｅｒｎａｔｉｏｎａｌ  Ｔｅｌｅｃｏｍｕｎｉｃａｔｉｏｎ  Ｕｎｉｏｎ−Ｔｅｌｅｃｏｍｕｎｉｃａｔｉｏｎ  Ｓｔａｎｄａｒｄｉｚａｔｉｏｎ  Ｓｅｃｔｏｒ）  Ｊ．１１２、Ｊ．１２２のケーブルＱｏＳ仕様を連動させた動的なＱｏＳ、すなわち、ＣＭＴＳ（Ｃａｂｌｅ  Ｍｏｄｅｍ  Ｔｅｒｍｉｎａｔｉｏｎ  Ｓｙｓｔｅｍ）−ＣＭ（Ｃａｂｌｅ  Ｍｏｄｅｍ）間のＱｏＳの実現方法が定められている。
【０００４】
【特許文献１】
特開２００２−１７６４３８（段落００２０〜００２２、図２）
【特許文献２】
特開２００１−３２６７０１（段落００１９〜００２２、図２）
【０００５】
【発明が解決しょうとする課題】
しかしながら、上記従来技術の仕様が規定するのは、ＭＧＣＰ（Ｍｅｄｉａ  Ｇａｔｅｗａｙ  Ｃｏｎｔｒｏｌ  Ｐｒｏｔｏｃｏｌ）とのケーブルＱｏＳ連動方法であり、他のシグナリングプロトコルとの連動については考慮されず汎用性に欠けるという問題点がある。
【０００６】
一方、ケーブルＶｏＩＰ以外の分野ではＳＩＰ（Ｓｅｓｓｉｏｎ  Ｉｎｉｔｉａｔｉｏｎ  Ｐｒｏｔｏｃｏｌ）を採用するケースが増えつつあり、ケーブルＶｏＩＰシステムにおいてもＭＧＣＰではなくＳＩＰに連動し、かつ静的ではなく動的にＣＭＴＳ−ＣＭ間のＱｏＳが確保される仕組みが望まれるという課題がある。
【０００７】
したがって、本発明は上記問題点、課題に鑑みて、ＳＩＰシグナリングに連動して動的ＱｏＳを確保・開放するケーブルＶｏＩＰシステム及びそのＳＩＰシグナリングとの動的ＱｏＳ連動方法を提供することを目的とする。
【０００８】
【課題を解決するための手段】
本発明は前記問題点を解決するために、事業者のＣＭＴＳと加入者宅内のＣＭ間でＨＦＣを経由してＷＡＮ上の通話先と通話を行うケーブルＶｏＩＰシステムにおいて、前記加入者宅内で通話の音声をアナログ／ディジタル変換し、音声データを送受信し、呼の開始、終了に合せて通話先と相互にＳＩＰシグナリングを行うＭＴＡ処理部と、通話が行われる前記加入者宅の前記ＣＭで前記ＭＴＡ処理部のＳＩＰシグナリングを監視し、前記ＳＩＰシグナリングのメッセージに含まれるＳＤＰを解析し、上り回線の帯域の周期、帯域の大きさを決定し、前記ＣＭＴＳとメッセージを交換してＱｏＳの追加、削除を前記ＣＭＴＳに要求するＱｏＳメッセージ交換部と、前記ＣＭＴＳで前記ＱｏＳメッセージ交換部からＱｏＳの追加、削除の要求に対して、前記ＭＴＡ処理部で送受信される音声データにＱｏＳの追加、削除を行うＱｏＳ追加・削除部とを備えることを特徴とするケーブルＶｏＩＰシステムを提供する。
【０００９】
この手段により、シグナリングプロトコルとしてＳＩＰを実装したＭＴＡで通話に要求されるケーブル回線の帯域をＭＴＡの動作に同期させて自動的にＱｏＳを確保・開放することが可能になる。
さらに、ＳＩＰシグナリングと連動してＱｏＳの追加・削除を行うので、ケーブル上り回線の帯域を有効に利用することができる。
【００１０】
さらに、ユーザ、ケーブル事業者がケーブルＱｏＳパラメータ値を予め明示的・静的に設定しておく必要がなく、ケーブルＶｏＩＰシステムの導入が容易になる。
さらに、前記ＭＴＡ処理部は前記ＣＭと一体型に形成される。
この手段により、ＣＭに一体となった前記ＭＴＡ処理部にアナログ電話機を接続するだけで、通話が可能になる。
【００１１】
さらに、前記ＭＴＡ処理部は前記ＣＭに独立して外部機器に設けられる。
この手段により、外部機器からの通話に対して自動的にＱｏＳを確保・開放することが可能になる。
さらに、前記外部機器が複数ある場合には、ハブを介して前記ＣＭに接続される。
【００１２】
この手段により、独立型のＭＴＡである外部機器の後付け追加が可能になる。
さらに、前記ＣＭＴＳと前記加入者宅内の間で、前記ＣＭと一体型のＭＴＡと、前記ＣＭと独立型のＭＴＡとが混在する。
【００１３】
この手段により、前記ＣＭと一体型のＭＴＡと、前記ＣＭと独立型のＭＴＡとが混在しても、シグナリングプロトコルとしてＳＩＰを実装したＭＴＡで通話に要求されるケーブル回線の帯域をＭＴＡの動作に同期させて自動的にＱｏＳを確保・開放することが可能になる。
【００１４】
さらに、本発明は、事業者のＣＭＴＳと加入者宅内のＣＭ間でＨＦＣを経由してＷＡＮ上の通話先と通話を行うケーブルＶｏＩＰシステムの動的ＱｏＳ連動方法において、前記加入者宅内で呼の開始、終了に合せて通話先と相互にＳＩＰシグナリングを行う工程と、通話が行われる前記加入者宅の前記ＣＭで前記ＳＩＰシグナリングを監視する工程と、前記ＳＩＰシグナリングのメッセージに含まれるＳＤＰを解析し、上り回線の帯域の周期、帯域の大きさを決定する工程と、前記ＳＩＰシグナリングに連動して前記ＣＭＴＳとメッセージを交換してＱｏＳの追加、削除を前記ＣＭＴＳに要求する工程と、前記ＣＭＴＳで前記ＱｏＳの追加、削除の要求に対して、送受信される音声データにＱｏＳの追加、削除を行う工程とを備えることを特徴とするケーブルＶｏＩＰシステムの動的ＱｏＳ連動方法を提供する。
【００１５】
この手段により、上記発明と同様に、シグナリングプロトコルとしてＳＩＰを実装したＭＴＡで通話に要求されるケーブル回線の帯域をＭＴＡの動作に同期させて自動的にＱｏＳを確保・開放することが可能になる。
さらに、ＳＩＰシグナリングと連動してＱｏＳの追加・削除を行うので、ケーブル上り回線の帯域を有効に利用することができる。
【００１６】
さらに、ユーザ、ケーブル事業者がケーブルＱｏＳパラメータ値を予め明示的・静的に設定しておく必要がなく、ケーブルＶｏＩＰシステムの導入が容易になる。
【００１７】
【発明の実施の形態】
以下、本発明の実施の形態について図面を参照して説明する。
図１は本発明に係るケーブルＶｏＩＰシステムの概略基本構成を示すブロック図である。なお、全図を通して同一の構成要素には同一の番号、符号を付して説明を行い、図中、矢印はメッセージの交換を表す。
【００１８】
本図に示すように、ケーブルＶｏＩＰシステム１００において、事業者のＣＭＴＳ（Ｃａｂｌｅ  Ｍｏｄｅｍ  Ｔｅｒｍｉｎａｔｉｏｎ  Ｓｙｓｔｅｍ）２０１同士がＷＡＮ（Ｗｉｄｅ  Ａｒｅａ  Ｎｅｔｗｏｒｋ）２０２で接続されている。
各ＣＭＴＳ２０１にはＱｏＳ（Ｑｕａｌｉｔｙ  Ｏｆ  Ｓｅｒｖｉｃｅ）追加・削除部２１１が設けられ、さらに、複数の加入者宅内１０１、１０２がＨＦＣ（Ｈｙｂｒｉｄ  Ｆｉｂｅｒ  Ｃｏａｘ）２０３経由で接続され、ＣＭＴＳ２０１と加入者宅内１０１、１０２の各々の間で通話が行われ、ＱｏＳ追加・削除部２１１では、通話開始と共に通話元との間にさらに、ＷＡＮ２０２上の通話先との間にＱｏＳを追加して通話を行い、通話終了と共に通話に追加したＱｏＳを削除する。
【００１９】
ＱｏＳ追加・削除部２１１は、後述するように、ＳＩＰシグナリングに連動して通話に対して動的ＱｏＳの追加、削除を行う。
加入者宅内１０１、１０２の各々にはＣＭ（Ｃａｂｌｅ  Ｍｏｄｅｍ）／ＭＴＡ（Ｍｕｌｔｉｍｅｄｉａ  Ｔｅｒｍｉｎａｌ  Ａｄａｐｔｏｒ）１１１が設けられ、ＣＭ／ＭＴＡ１１１はＣＭとＭＴＡが一体となった一体型のＥ−ＭＴＡであり、シグナリングプロトコルとして国際標準ＩＴＵ−Ｔ  Ｊ．１１２、Ｊ．１２２で定められるＳＩＰ（Ｓｅｓｓｉｏｎ  Ｉｎｉｔｉａｔｉｏｎ  Ｐｒｏｔｏｃｏｌ）が実装される。
【００２０】
ＣＭ／ＭＴＡ１１１の各々にはアナログ電話機１１２、パーソナルコンピュータ（ＰＣ）１１３が接続され、アナログ電話機１１２のオフフックで呼が開始し、オンフックで呼が終了し、ユーザによる通話が行われ、パーソナルコンピュータ１１３からユーザによるデータ送受信が行われる。
さらに、ＣＭ／ＭＴＡ１１１では、ＨＦＣ２０３を介して、ＣＭＴＳ２０１との間で、ＳＩＰのシグナリングに連動して、通話に対してＱｏＳを動的に追加、削除を行い、ＣＭＴＳ２０１を介して、通話先のＭＴＡ又はＰｒｏｘｙ  Ｓｅｒｖｅｒとの間でシグナリングを行う。
【００２１】
すなわち、ＣＭ／ＭＴＡ１１１は送受信するＳＩＰメッセージを監視し、ＳＩＰメッセージ内に含まれるＳＤＰ（Ｓｅｓｓｉｏｎ  Ｄｅｓｃｒｉｐｔｉｏｎ  Ｐｒｏｔｏｃｏｌ）の内容を後述のように解析し、通話に必要なケーブル上り回線の帯域などを算出し、ＩＴＵ−Ｔ  Ｊ．１１２、Ｊ．１２２で規定されるＤＳＡ（Ｄｙｎａｍｉｃ  Ｓｅｒｖｉｃｅ  Ａｄｄｉｔｉｏｎ）メッセージの交換をＣＭＴＳ２０１との間で行い、ＱｏＳ追加・削除部２１１にＱｏＳの追加（確保）を実行させ、通話を開始する。
【００２２】
さらに、ＣＭ／ＭＴＡ１１１では通話が完了するときにもＳＩＰシグナリングが行われるので、これを監視し、通話終了タイミングに同期してＣＭＴＳ２０１との間でＤＳＤ（Ｄｙｎａｍｉｃ  Ｓｅｒｖｉｃｅ  Ｄｅｌｅｔｉｏｎ）メッセージの交換を行い、先に追加したＱｏＳをＱｏＳ追加・削除部２１１に削除（開放）させる。
【００２３】
このようにして、ＣＭＴＳ２０１と複数の加入者宅内１０１、１０２との間では、通話先ＭＴＡに対するＳＩＰシグナリングに対して、それぞれＤＳＡ／ＤＳＤのメッセージ交換が行われる。
【００２４】
図２は図１における各加入者宅内１０１、１０２のＣＭ／ＭＴＡ１１１の概略構成示すブロック図である。
【００２５】
本図に示すように、ＣＭ／ＭＴＡ１１１にはＲＦ（Ｒａｄｉｏ  Ｆｒｅｑｕｅｎｃｙ）送受信インタフェース１２１が設けられ、ＣＭ／ＭＴＡ１１１はＲＦ送受信インタフェース１２１を経由してＨＦＣ２０３に接続される。
さらに、ＣＭ／ＭＴＡ１１１には電話インタフェース部１２２が設けられ、アナログ電話機１１２は電話インタフェース部１２２を経由してＣＭ／ＭＴＡ１１１に接続される。
【００２６】
さらに、電話インタフェース部１２２にはＭＴＡ処理部１２３が接続され、ＭＴＡ処理部１２３は音声コーディックなどを含み、通話の音声をアナログ／ディジタル変換し、音声データの送受信を行う。
さらに、ＭＴＡ処理部１２３にはＳＩＰシグナリング部１３１が設けられ、ＳＩＰシグナリング部１３１は、呼の開始、終了に合せてＳＩＰメッセージを生成し、ＳＩＰメッセージの送受信を制御する。
【００２７】
さらに、ＣＭ／ＭＴＡ１１１にはＭＡＣ（Ｍｅｄｉａ  Ａｃｃｅｓｓ  Ｃｏｎｔｒｏｌ）／ＰＨＹ（Ｐｈｙｓｉｃａｌ  Ｆｕｎｃｔｉｏｎ）処理部１２４が設けられ、ＭＡＣ／ＰＨＹ処理部１２４はＭＡＣアドレスの制御情報の付加、削除処理等を行い、伝送媒体への送受信等を行う。
さらに、ＲＦ送受信インタフェース１２１、ＭＴＡ処理部１２３、制御部１２４には制御部１２５が接続され、制御部１２５はＱｏＳメッセージ交換部１３２を有し、ＣＭ／ＭＴＡ１１１の全体の制御を行う。
【００２８】
ＱｏＳメッセージ交換部１３２はＳＩＰシグナリング部１３１のＳＩＰシグナリングを監視し、ＳＩＰシグナリングに連動してＤＳＡメッセージの交換、ＤＳＤメッセージの交換を行い、ＣＭＴＳ２０１のＱｏＳ追加・削除部２１１に対して、ＱｏＳ追加・削除の要求を行う。
図３は図１におけるＭＴＡ処理部１２３のＳＩＰシグナリング部１３１による呼確立のためのＳＩＰシグナリグ、制御部１２５のＱｏＳメッセージ交換部１３２によるＱｏＳ追加のためのＤＳＡメッセージ交換を説明するシーケンス図である。
【００２９】
本図に示すように、初期条件として、ＣＭＴＳ２０１を経由して一方の加入者宅内１０１のＣＭ／ＭＴＡ１１１と他方の加入者宅内１０１のＣＭ／ＭＴＡ１１１との間で通話を開始する前にはＣＭＴＳ２０１と一方の加入者宅内１０１のＣＭ／ＭＴＡ１１１との間、ＣＭＴＳ２０１と他方の加入者宅内１０１のＣＭ／ＭＴＡ１１１との間はＱｏＳなしの区間とする。
【００３０】
一方の加入者宅内１０１でＣＭ／ＭＴＡ１１１のＳＩＰシグナリング部１３１ではアナログ電話機１１２がオフフック発呼を行うと、他方の加入者宅内１０１のＣＭ／ＭＴＡ１１１に対してＳＩＰメッセージの一種である参加要求（ＳＩＰ：ＩＮＶＩＴＥ）を行い、以下のように、呼確立のためのＳＩＰシグナリングを行う。
【００３１】
他方の加入者宅内１０１でＣＭ／ＭＴＡ１１１のＳＩＰシグナリング部１３１ではＳＩＰ：ＩＮＶＩＴＥへの応答として、進行状況を示すＳＩＰ：１００  Ｔｒｙｉｎｇ（試行）、ＳＩＰ：１８０Ｒｉｎｇｉｎｇ（鳴動）、ＳＩＰ：２００ＯＫ（オフフック）の応答を行う。
一方の加入者宅内１０１でＣＭ／ＭＴＡ１１１のＳＩＰシグナリング部１３１では他方の加入者宅内１０１でＣＭ／ＭＴＡ１１１のＳＩＰシグナリング部１３１からのＳＩＰ：２００ＯＫの応答に対して他方の加入者宅内１０１でＣＭ／ＭＴＡ１１１のＳＩＰシグナリング部１３１に対してＳＩＰメッセージの一種である呼接続確認（ＳＩＰ：ＡＣＫ）を行う。
【００３２】
一方の加入者宅内１０１でＣＭ／ＭＴＡ１１１のＱｏＳメッセージ交換部１３２ではＳＩＰ：ＡＣＫの送信を行うとＣＭＴＳ２０１に対してＤＳＡ−ＲＥＱを送信してＱｏＳ追加の要求を行い、以下のように、ＱｏＳ追加のためのメッセージ交換を行う。
他方の加入者宅内１０１でＣＭ／ＭＴＡ１１１のＱｏＳメッセージ交換部１３２ではＳＩＰ：ＡＣＫの受信を行うとＣＭＴＳ２０１に対してＤＳＡ−ＲＥＱを送信してＱｏＳ追加の要求を行い、以下のように、ＱｏＳ追加のためのメッセージ交換を行う。
【００３３】
ＣＭＴＳ２０１のＱｏＳ追加・削除部２１１では一方の加入者宅内１０１のＣＭ／ＭＴＡ１１１からＤＳＡ−ＲＥＱの受信を行うと、一方の加入者宅内１０１のＣＭ／ＭＴＡ１１１に対してＤＳＡ−ＲＳＰを送信してＱｏＳ追加を行う応答を行う。
ＣＭＴＳ２０１のＱｏＳ追加・削除部２１１では他方の加入者宅内１０１のＣＭ／ＭＴＡ１１１からＤＳＡ−ＲＥＱの受信を行うと、他方の加入者宅内１０１のＣＭ／ＭＴＡ１１１に対してＤＳＡ−ＲＳＰを送信してＱｏＳ追加を行う応答を行う。
【００３４】
一方の加入者宅内１０１でＣＭ／ＭＴＡ１１１のＱｏＳメッセージ交換部１３２ではＤＳＡ−ＲＳＰを受信すると、ＣＭＴＳ２０１のＱｏＳ追加・削除部２１１に対してＤＳＡ−ＡＣＫを送信し、ＱｏＳ追加確認を行う。
他方の加入者宅内１０１でＣＭ／ＭＴＡ１１１のＱｏＳメッセージ交換部１３２ではＤＳＡ−ＲＳＰを受信すると、ＣＭＴＳ２０１のＱｏＳ追加・削除部２１１に対してＤＳＡ−ＡＣＫを送信し、ＱｏＳ追加確認を行う。
【００３５】
ＣＭＴＳ２０１のＱｏＳ追加・削除部２１１では一方の加入者宅内１０１でＣＭ／ＭＴＡ１１１のＱｏＳメッセージ交換部１３２、他方の加入者宅内１０１でＣＭ／ＭＴＡ１１１のＱｏＳメッセージ交換部１３２からＤＳＡ−ＡＣＫをそれぞれ受信すると、一方の加入者宅内１０１のＣＭ／ＭＴＡ１１１との間にＱｏＳを追加し、ＱｏＳありの区間にし、他方の加入者宅内１０１のＣＭ／ＭＴＡ１１１との間にＱｏＳを追加し、ＱｏＳありの区間にする。
【００３６】
この時点で一方の加入者宅内１０１のＣＭ／ＭＴＡ１１１、他方の加入者宅内１０１のＣＭ／ＭＴＡ１１１は音声データに対するＱｏＳが有効な状態となり、通話が終了するまでこの状態を維持する。
図４は図２におけるＭＴＡ処理部１２３のＳＩＰシグナリング部１３１による呼開放のためのＳＩＰシグナリグ、ＳＩＰシグナリング部１３１によるＱｏＳ削除のためのＤＳＡメッセージ交換を説明するシーケンス図である。
【００３７】
本図に示すように、初期条件として、ＣＭＴＳ２０１を経由して一方の加入者宅内１０１のＣＭ／ＭＴＡ１１１と他方の加入者宅内１０１のＣＭ／ＭＴＡ１１１との間で通話を終了する前にはＣＭＴＳ２０１と一方の加入者宅内１０１のＣＭ／ＭＴＡ１１１との間、ＣＭＴＳ２０１と他方の加入者宅内１０１のＣＭ／ＭＴＡ１１１との間はそれぞれＱｏＳありの区間とする。
【００３８】
一方の加入者宅内１０１でＣＭ／ＭＴＡ１１１のアナログ電話機１１２が終話のオンフックを行うと、下記のように、呼切断のためのＳＩＰシグナリングを行う。
一方の加入者宅内１０１でＣＭ／ＭＴＡ１１１のＳＩＰシグナリング部１３１ではアナログ電話機１１２のオフフックにより他方の加入者宅内１０１のＣＭ／ＭＴＡ１１１に対してＳＩＰメッセージの一種である呼開放要求（ＳＩＰ：ＢＹＥ）を行う。
【００３９】
他方の加入者宅内１０１でＣＭ／ＭＴＡ１１１のＳＩＰシグナリング部１３１ではＳＩＰ：ＢＹＥを受信し、アナログ電話機１１２が終話のオフフックを行うと、一方の加入者宅内１０１でＣＭ／ＭＴＡ１１１のＳＩＰシグナリング部１３１に対して呼開放確認のためのＳＩＰ：２００  ＯＫを送信する。
一方の加入者宅内１０１でアナログ電話機１１２のオンフック、他方の加入者宅内１０１でアナログ電話機１１２のオンフックにより、以下のように、ＱｏＳ削除のためのメッセージ交換を行う。
【００４０】
一方の加入者宅内１０１でＣＭ／ＭＴＡ１１１の制御部１２５ＱｏＳメッセージ交換部１３２ではＳＩＰ：２００  ＯＫの受信を行うとＣＭＴＳ２０１に対してＤＳＤ−ＲＥＱを送信してＱｏＳ削除の要求を行う。
他方の加入者宅内１０１でＣＭ／ＭＴＡ１１１のＱｏＳメッセージ交換部１３２ではＳＩＰ：２００  ＯＫの送信を行うとＣＭＴＳ２０１に対してＤＳＤ−ＲＥＱを送信してＱｏＳ削除の要求を行う。
【００４１】
ＣＭＴＳ２０１のＱｏＳ追加・削除部２１１では一方の加入者宅内１０１でＣＭ／ＭＴＡ１１１のＱｏＳメッセージ交換部１３２、他方の加入者宅内１０１でＣＭ／ＭＴＡ１１１のＱｏＳメッセージ交換部１３２へＤＳＤ−ＲＥＱをそれぞれ送信し、送信後に一方の加入者宅内１０１のＣＭ／ＭＴＡ１１１との間にＱｏＳを削除し、ＱｏＳなしの区間にし、他方の加入者宅内１０１のＣＭ／ＭＴＡ１１１との間にＱｏＳを削除し、ＱｏＳなしの区間にする。
【００４２】
この時点でＱｏＳが無効状態となり、この状態では通話が行われない。
図５は通話開始時のＣＭ／ＭＴＡ１１１におけるＱｏＳメッセージ交換部１３２の動作例を示す図である。
ステップＳ３０１において、通話の開始前は通話が行われていない待機状態（アイドル状態）である。
【００４３】
ステップＳ３０２において、ＱｏＳメッセージ交換部１３２では、ＳＩＰシグナリング部１３１を監視し、図３に示すＩＮＶＩＴＥメッセージに対応するＡＣＫメッセージを送信又は受信したか否かを判断する。送受信が検出されない場合には処理を終了する。
ステップＳ３０３において、上記の送受信が検出された場合には、ＳＩＰメッセージに含まれるＳＤＰ部分を解析し、ＱｏＳ追加に必要な種々のパラメータ値を算出する。
【００４４】
ここで、パラメータとは通話先のＭＴＡのＩＰアドレス、受信ポート番号、コーディックの種類などである。
ＩＰアドレス、ポート番号は、音声データと非音声データを区別するために使用される。
コーディックの種類は、ケーブル回線上でどれくらいの帯域を確保するか決定するために使用される。
【００４５】
この決定では、ＱｏＳのパラメータとして、
（１）ＣＭＴＳ２０１が加入者宅内１０１、１０２のＣＭ／ＭＴＡ１１１のケーブル上り回線に割り当てる帯域の周期、
一例として、ＳＤＰ内のｐｔｉｍｅというパラメータ（ＲＦＣ２３２７  ｐ．２２）を参照し、これが例えば２０であれば周期＝２０ｍｓｅｃに設定する。
【００４６】
（２）ＣＭＴＳ２０１が加入者宅内１０１、１０２のＣＭ／ＭＴＡ１１１のケーブル上り回線に割り当てる帯域の大きさが決定される。
一例として、ＳＤＰ内のＡｔｔｒｉｂｕｔｅというパラメータで示される音声方式を参照し、ＰＣＭＵ（つまりＧ．７１１μ）が指定される。
上記の２つの情報によりパケットサイズ２１８バイトと求まる。このパケットサイズに上り回線送信に必要なヘッダ情報（１０〜１０数バイト程度）を加えたサイズを一定周期で割り当てるようにする。
これにより、必要な上り帯域＝（２１８＋１０）＊（１００／２０）＊８＝９１２００ｂｐｓ（＝約９０ｋｂｐｓ）が実現される。
【００４７】
ステップＳ３０４において、ステップＳ３０３で算出した値を用いて、ＤＳＡ−ＲＥＱメッセージを生成し、メッセージ交換を実行する。
このＤＳＡ−ＲＥＱメッセージには音声データか否かを判定するためのパケット分類／識別情報、通話に適したＱｏＳを実現するサービスフロー情報などが含まれ、さらに、必要なＱｏＳのパラメータとして主に上記（１）の帯域の周期、（２）の帯域の大きさが含まれる。
【００４８】
生成したＤＳＡ−ＲＥＱメッセージをＣＭＴＳ２０１に送信する。
ステップＳ３０５において、ステップＳ３０４でＣＭＴＳ２０１とのＱｏＳ追加のためのメッセージ交換が成功すると、メッセージ交換に基づきＣＭＴＳ２０１のＱｏＳ追加・削除部２１１はＣＭ／ＭＴＡ１１１に対してＱｏＳを有効状態にする。これにより、通話のための必要な帯域を動的に確保する。
【００４９】
図６は通話中から通話終了へのＣＭ／ＭＴＡ１１１におけるＱｏＳメッセージ交換部１３２の動作例を示す図である。
ステップＳ３１１において、通話中は通話が行われていおり、ＱｏＳが有効状態である。
ステップＳ３１２において、ＱｏＳメッセージ交換部１３２では、ＳＩＰシグナリング部１３１を監視し、図３に示すＳＩＰの２００  ＯＫを送信又は受信したか否かを判断する。上記の送受信が検出されない場合には処理を終了する。
【００５０】
ステップＳ３１３において、上記の送受信が検出された場合には、通話が終了したので、追加したＱｏＳを削除するためのＤＳＤ−ＲＥＱの送信を行い、ＤＳＤのメッセージ交換を実行する。
ステップＳ３１４において、ステップＳＣＭＴＳ２０１とのＱｏＳ削除のためのメッセージ交換が成功すると、メッセージ交換に基づきＣＭＴＳ２０１のＱｏＳ追加・削除部２１１はＣＭ／ＭＴＡ１１１に対してＱｏＳを無効状態にする。これにより、無通話時の余分な帯域消費を回避する。
【００５１】
このようにして、シグナリングプロトコルとしてＳＩＰを実装したＣＭ／ＭＴＡ１１１で通話に要求されるケーブル回線の帯域をＭＴＡの動作に同期させて自動的にＱｏＳを確保・開放することが可能になる。
さらに、ＳＩＰシグナリングと連動してＱｏＳの追加・削除を行うので、ケーブル上り回線の帯域を有効に利用することができる。
【００５２】
さらに、ユーザ、ケーブル事業者がケーブルＱｏＳパラメータ値を予め明示的・静的に設定しておく必要がなく、ケーブルＶｏＩＰシステムの導入が容易になる。
さらに、一体型のＣＭ／ＭＴＡ１１１にアナログ電話機１１２を接続するだけで、通話が可能になる。
【００５３】
図７は本発明の第１の変形例に係るケーブルＶｏＩＰシステムの概略基本構成を示すブロック図である。
本図に示すように、図１ではＣＭとＭＴＡが一体となったＥ−ＭＴＡと比較して、本発明はＣＭとＭＴＡが独立しているＳ−ＭＴＡにも応用できる。
ＣＭＴＳ２０１にＨＦＣ２０３経由で接続される複数の加入者宅内１５１、１５２の各々にはＣＭ（Ｃａｂｌｅ  Ｍｏｄｅｍ）１４１が設けられる。
【００５４】
ＣＭ１４１にはハブ１４２を経由してＭＴＡ１４３、パーソナルコンピュータ１４４のように複数の外部機器が接続される。
さらに、ＭＴＡ１４３、パーソナルコンピュータ１４４には、ＳＩＰシグナリング部１３１がそれぞれ設けられる。
さらに、ＭＴＡ１４３にはアナログ電話機１４５が接続され、パーソナルコンピュータ１４４にはヘッドセット（ＨｅａｄＳｅｔ）１４６が接続される。
【００５５】
図８は図７における各加入者宅内１５１、１５２のＣＭ１４１の概略構成示すブロック図である。
本図に示すように、図２と比較して、ＣＭ１４１の構成はＭＴＡ処理部１２３を除いて同様の構成である。
制御部１２５のＱｏＳメッセージ交換部１３２では、外部機器であるＭＴＡ１４３、パーソナルコンピュータ１４４が送受信するＳＩＰメッセージを検出し、外部機器と通話先の機器双方のＱｏＳパラメータ値をＳＤＰから算出する。
【００５６】
この場合、ＭＴＡ１４３、パーソナルコンピュータ１４４の双方が受信する場合には、図１におけるＣＭ／ＭＴＡ１１１一体型の場合と同様に、通信先から受信したＳＤＰの参照、ＱｏＳの追加を繰り返し、ＭＴＡ１４３、パーソナルコンピュータ１４４の双方が送信する場合には、図１におけるＣＭ／ＭＴＡ１１１一体型の場合と同様に、通信先へ送信したＳＤＰの参照、ＱｏＳの追加を繰り返す。
【００５７】
これに対して、ＭＴＡ１４３、パーソナルコンピュータ１４４の一方が受信し、他方が送信する場合には、以下のように、送信、受信される各々のＳＤＰを参照して、ＱｏＳの追加を行う。これは、一体型のＣＭ／ＭＴＡ１１１、ではＳＤＰを自分で作成、送信するので、その中身を自分が知っているが、独立型のＣＭ１４１ではＳＤＰを自分では作らず、送られてくるＳＤＰを調べるためである
。
【００５８】
図９は通話開始時に外部機器が送受信を行う場合のＣＭ／ＭＴＡ１４１におけるＱｏＳメッセージ交換部１３２の動作例を示す図である。
【００５９】
本図に示すように、ステップＳ３２１において、通話の開始前は通話が行われていない待機状態（アイドル状態）である。
ステップＳ３２２において、ＱｏＳメッセージ交換部１３２では、ＳＩＰシグナリング部１３１を監視し、図３に示すＩＮＶＩＴＥメッセージに対応するＡＣＫメッセージを送信したか否かを判断する。送信が検出されない場合にはステップＳ３２６に進む。
【００６０】
ステップＳ３２３において、上記の送信が検出された場合には、ＳＩＰメッセージに含まれるＳＤＰ部分を解析し、ＱｏＳ追加に必要な種々のパラメータ値を算出する。パラメータ値の算出は前述と同様であるので、説明を省略する。
ステップＳ３２４において、ステップＳ３０３で算出した値を用いて、ＤＳＡ−ＲＥＱメッセージを生成し、メッセージ交換を実行する。
【００６１】
生成したＤＳＡ−ＲＥＱメッセージをＣＭＴＳ２０１に送信する。
ステップＳ３２５において、ステップＳ３２４でＣＭＴＳ２０１とのＱｏＳ追加のためのメッセージ交換が成功すると、メッセージ交換に基づきＣＭＴＳ２０１のＱｏＳ追加・削除部２１１はＣＭ１４１に対してＱｏＳを有効状態にする。
ステップＳ３２６において、ＱｏＳメッセージ交換部１３２では、ＳＩＰシグナリング部１３１を監視し、図３に示すＩＮＶＩＴＥメッセージに対応するＡＣＫメッセージを受信したか否かを判断する。受信が検出されない場合には処理を終了する。
【００６２】
ステップＳ３２７において、上記の受信が検出された場合には、ＳＩＰメッセージに含まれるＳＤＰ部分を解析し、ＱｏＳ追加に必要な種々のパラメータ値を算出する。パラメータ値の算出は前述と同様であるので、説明を省略する。
ステップＳ３２８において、ステップＳ３２７で算出した値を用いて、ＤＳＡ−ＲＥＱメッセージを生成し、メッセージ交換を実行する。
【００６３】
生成したＤＳＡ−ＲＥＱメッセージをＣＭＴＳ２０１に送信する。
ステップＳ３２９において、ステップＳ３２８でＣＭＴＳ２０１とのＱｏＳ追加のためのメッセージ交換が成功すると、メッセージ交換に基づきＣＭＴＳ２０１のＱｏＳ追加・削除部２１１はＣＭ１４１に対してＱｏＳを有効状態にする。
このようにして、一体型だけでなく独立型のＭＴＡでも、シグナリングプロトコルとしてＳＩＰを実装したＭＴＡで通話に要求されるケーブル回線の帯域をＭＴＡの動作に同期させて自動的にＱｏＳを確保・開放することが可能になる。
【００６４】
すなわち、外部機器からの通話に対して自動的にＱｏＳを確保・開放することが可能になる。
同時に独立型のＭＴＡである外部機器の後付け追加が可能になる。
図１０は本発明の第２の変形例に係るケーブルＶｏＩＰシステムの概略基本構成を示すブロック図である。
【００６５】
本図に示すように、図１、図７と比較して、ＣＭＴＳ２０１にＨＦＣ２０３を経由して接続される加入者宅内１０１にはＣＭとＭＴＡが一体となったＥ−ＭＴＡが設けられ、ＣＭＴＳ２０１にＨＦＣ２０３を経由して接続される加入者宅内１５１にはＣＭとＭＴＡが独立しているＳ−ＭＴＡが設けられ、Ｅ−ＭＴＡ、Ｓ−ＭＴＡが複数の混在してＣＭＴＳ２０１に接続されても、本発明を同様に適用することが可能である。
【００６６】
【発明の効果】
以上説明したように、本発明によれば、加入者宅内で呼の開始、終了に合せて通話先と相互にＳＩＰシグナリングを行い、通話が行われる加入者宅のＣＭでＳＩＰシグナリングを監視し、ＳＩＰシグナリングのメッセージに含まれるＳＤＰを解析し、上り回線の帯域の周期、帯域の大きさを決定し、ＳＩＰシグナリングに連動してＣＭＴＳとメッセージを交換してＱｏＳの追加、削除をＣＭＴＳに要求し、ＣＭＴＳでＱｏＳの追加、削除の要求に対して、送受信される音声データにＱｏＳの追加、削除を行うようにしたので、シグナリングプロトコルとしてＳＩＰを実装したＭＴＡで通話に要求されるケーブル回線の帯域をＭＴＡの動作に同期させて自動的にＱｏＳを確保・開放することが可能になる。
【００６７】
さらに、ＳＩＰシグナリングと連動してＱｏＳの追加・削除を行うので、ケーブル上り回線の帯域を有効に利用することができる。
さらに、ユーザ、ケーブル事業者がケーブルＱｏＳパラメータ値を予め明示的・静的に設定しておく必要がなく、ケーブルＶｏＩＰシステムの導入が容易になる。
【００６８】
さらに、前記ＭＴＡ処理部は前記ＣＭと一体型に形成されるので、ＣＭに一体となった前記ＭＴＡ処理部にアナログ電話機を接続するだけで、通話が可能になる。
さらに、前記ＭＴＡ処理部は前記ＣＭに独立して外部機器に設けられるので、外部機器からの通話に対して自動的にＱｏＳを確保・開放することが可能になる。
【００６９】
さらに、前記外部機器が複数ある場合には、ハブを介して前記ＣＭに接続されるので、独立型のＭＴＡである外部機器の後付け追加に対しても自動的にＱｏＳを確保・開放することが可能になる。
【図面の簡単な説明】
【図１】本発明に係るケーブルＶｏＩＰシステムの概略基本構成を示すブロック図である。
【図２】図１における各加入者宅内１０１、１０２のＣＭ／ＭＴＡ１１１の概略構成を示すブロック図である。
【図３】図１における制御部１２６のＳＩＰシグナリング部１３１による呼確立のためのＳＩＰシグナリグ、ＳＩＰシグナリング部１３１によるＱｏＳ追加のためのＤＳＡメッセージ交換を説明するシーケンス図である。
【図４】図１における制御部１２６のＳＩＰシグナリング部１３１による呼開放のためのＳＩＰシグナリグ、ＳＩＰシグナリング部１３１によるＱｏＳ削除のためのＤＳＡメッセージ交換を説明するシーケンス図である。
【図５】通話開始時のＣＭ／ＭＴＡ１１１におけるＱｏＳメッセージ交換部１３２の動作例を示す図である。
【図６】通話中から通話終了へのＣＭ／ＭＴＡ１１１におけるＱｏＳメッセージ交換部１３２の動作例を示す図である。
【図７】本発明の第１の変形例に係るケーブルＶｏＩＰシステムの概略基本構成を示すブロック図である。
【図８】図７における各加入者宅内１５１、１５２のＣＭ／ＭＴＡ１４１の概略構成示すブロック図である。
【図９】通話開始時に外部機器が送受信を行う場合のＣＭ／ＭＴＡ１４１におけるＱｏＳメッセージ交換部１３２の動作例を示す図である。
【図１０】本発明の第２の変形例に係るケーブルＶｏＩＰシステムの概略基本構成を示すブロック図である。
【符号の説明】
１００…ケーブルＶｏＩＰシステム
１０１、１０２、１５１、１５２…加入者宅内
１１１…ＣＭ／ＭＴＡ
１１２、１４５…アナログ電話機
１１３、１４４…パーソナルコンピュータ
１２１…ＲＦ送受信インタフェース
１２２…電話インタフェース部
１２３…ＭＴＡ処理部
１２４…ＭＡＣ／ＰＨＹ処理部
１２５…制御部
１３１…ＳＩＰシグナリング
１３２…ＱｏＳメッセージ交換部
１４１…ＣＭ
１４２…ハブ
１４３…ＭＴＡ
１４６…ヘッドセット
２０１…ＣＭＴＳ
２０２…ＷＡＮ
２０３…ＨＦＣ
２１１…ＱｏＳ追加・削除部
【図１】
2004343457.tif 000003
【図２】
2004343457.tif 000004
【図３】
2004343457.tif 000005
【図４】
2004343457.tif 000006
【図５】
2004343457.tif 000007
【図６】
2004343457.tif 000008
【図７】
2004343457.tif 000009
【図８】
2004343457.tif 000010
【図９】
2004343457.tif 000011
【図１０】
2004343457.tif 000012